(57)【要約】 【課題】  個々人で、ばらつきのある生理（月経）周期に対しても、妊娠可能時期、次回の生理（月経）開始日を容易に視認できる基礎体温記録表と補助具とからなる基礎体温管理セットの提供。【解決手段】  本考案の基礎体温管理セットは、横方向に帯状に伸びる６週以上の月日記入欄、体温プロット欄および月経周期記入欄を有し、各欄を横断して伸びる複数本の等間隔な縦線によって日毎の記入項に区画された基礎体温記録表と、複数の生理周期に対応して横方向に並列に伸び、生理開始日マーク、妊娠可能期間マーク、次回生理日マークが記された透明性または半透明性のスケールとからなり、スケールの生理開始日マークを基礎体温表に記された実際の生理開始日に合わせることで、妊娠可能期間、次回生理日が視認できるようにしている。【選択図】  図１
0003117708.tif 000002
【実用新案登録請求の範囲】
【請求項１】
横方向に帯状に伸びる６週以上の月日記入欄、体温プロット欄および月経周期記入欄を有し、各欄を横断して伸びる複数本の等間隔な縦線によって日毎の記入項に区画された基礎体温記録表と、
複数の生理周期に対応して横方向に並列に伸び、生理開始日マーク、妊娠可能期間マーク、次回生理日マークが記された透明性または半透明性のスケールとからなり、
前記スケールの前記生理開始日マークを前記基礎体温表に記された実際の生理開始日に合わせることで、妊娠可能期間、次回生理日が視認できるようにしたことを特徴とする基礎体温管理セット。
【考案の詳細な説明】
【技術分野】
【０００１】
本考案は、基礎体温記録器具の改良に関する。
【背景技術】
【０００２】
基礎体温とは、飲食、運動等体温に影響を与えるような条件を避けて起床前に測定した体温をいう。熟睡時の体温が基礎体温に最も近いが、通常、６ないし８時間の睡眠の後、早朝、目が覚めて、体を動かす前の体温を基礎体温として用いている。
【０００３】
この基礎体温を毎朝起床前に規則正しく測定し、基礎体温表にプロットし、これを結んで基礎体温曲線を作成していくと、高温相、低温相が容易に視認でき、排卵日、妊娠しやすい日、次の月経の開始日、妊娠の有無等を、基礎体温の微妙な変化から予知することができる。
【０００４】
従来の基礎体温表は、それぞれ横方向に帯状にのびる年月日欄、体温欄、月経周期欄および備考欄等を有し、各欄を横断してのびる複数の縦線により日付毎の記入項に区画した記入部が設けられている。そして、体温欄の記入部には、０.０５℃単位で横方向に体温表示線が付されている。また、カレンダー表と、妊娠早見スケールを有し、カレンダー表は、３１日月、３０日月、２８日月の一ヶ月分の日付をそれぞれに直線上に並べ、これらの最終日に続けて翌月を適当な日数分だけ追加記載して構成され、妊娠早見スケールは、長尺状に形成されており、カレンダー表の日付に重ねられている月経周期欄が空欄部に沿って設けられているとともに、不妊期欄、予備日欄、および受胎期欄がそれぞれ空欄部に沿って並べて配置され、カレンダー表に空欄部を重ねて配置した際、月経周期欄、不妊期欄、予備日、および受胎期欄が前記カレンダー表の各日付けに対応付けて示されるように配置された早見器具が提案されている（文献１）。
【特許文献１】登録実用新案第３１１２０６８号公報
【０００５】
ところが、生理（月経）周期は２８日とは限らず、個々人によってばらつきがあり、殆どの場合、２７〜３５日の範囲でばらつきがある。このため、生理周期が２８日以外の使用者では妊娠可能時期、次回の生理（月経）開始日は容易に視認できないという問題があった。
【考案の開示】
【考案が解決しようとする課題】
【０００６】
本願考案は、上記従来の問題を解決し、個々人で、ばらつきのある生理（月経）周期に対しても、妊娠可能時期、次回の生理（月経）開始日を容易に視認できる基礎体温記録表と補助具とからなる基礎体温管理セットを提供することを目的とする。
【課題を解決するための手段】
【０００７】
上記課題を解決するため、本願考案は、横方向に帯状に伸びる６週以上の月日記入欄、体温プロット欄および月経周期記入欄を有し、各欄を横断してのびる複数本の等間隔な縦線によって日毎の記入項に区画された基礎体温記録表と、複数の生理周期に対応して横方向に並列に伸び、生理開始日マーク、妊娠可能期間マーク、次回生理日マークが記された透明性または半透明性のスケールとからなり、スケールの前記生理開始日マークを基礎体温表に記された実際の生理開始日に合わせることで、妊娠可能期間、次回生理日が視認できるようにしたことを特徴とする基礎体温管理セットである。
【考案の効果】
【０００８】
個々人によって生理周期にばらつきがあっても、スケールの生理開始日マークを基礎体温表に記された実際の生理開始日に合わせることで、妊娠可能期間、次回生理日が極めて容易に視認できる。
【考案を実施するための最良の形態】
【０００９】
以下、本願考案の実施例を図に基づいて具体的に説明する。なお、本実施例に限定されるものではないことは言うまでもない。図１は、本願考案にかかる基礎体温記録表、スケール（補助具）を示すものである。図１（ａ）は、基礎体温記録表にスケール（補助具）を重ねた状態を示す図、図１（ｂ）は、スケール（補助具）のみを示す図である。
【００１０】
図１に示すように、本実施例の基礎体温記録表１は、上部に、それぞれ横方向に帯状に伸びる(年)月日記入欄２、曜日欄３、月経周期記入欄５、中程に体温プロット欄４、下部に性交，発熱，薬服用等のメモ書き可能なメモ（備考）欄（不図示）を設けている。各欄を横断して伸びる複数本の等間隔な縦線（実線）６により日毎に区画されている。
【００１１】
体温プロット欄４の左端(左右両端)に設けられる指標部８には０．１０℃毎の温度表示数字が上下方向に０．０５℃の精度でプロット可能に等間隔に付されていて、る。本実施例においては、３６．２０℃から３７.２０℃の範囲を設定しているが、必要に応じて設定範囲を広げ、あるいは狭めることもできる。また、破線からなる体温表示線１１が３６．５０℃と３７．００℃に設けられている。この体温表示線１１は、通常低温期と高温期の境界線となる、例えば３６．７℃を示す体温表示線を実線や別色で構成すると、低温期と高温期の境界を一見して判別することができ、基礎体温表１をさらに見易いものとすることができる。月経周期記入欄５には、月経開始日からの日を順次記入すればよい。
【００１２】
スケール（補助具）２０は、基礎体温記録表１に重ねて使用するものである。スケール（補助具）２０は、ＡＢＳ樹脂，ハイインパクトスチロール等で形成された透明性または半透明性である。複数の生理周期に対応して横方向に並列に伸び、生理（月経）開始日マーク２２、妊娠可能期間マーク２３、次回（月経）生理日マーク２４が記されている。
【００１３】
例えば、生理（月経）周期２８日の使用者が生理（月経）開始が８月８日である場合を一例として説明する。まず、スケール２０の生理周期指標部２１の「２８」のを生理（月経）開始日マーク２２（本実施例では〇印）を８月８日の生理周期の欄に合せる。その状態で、妊娠可能期間マーク２３（本実施例では●印）が該当する月日が「妊娠可能な期間（妊娠しやすい期間）」となる。本実施例では、８月１９日から８月２５日が該当する。また、次回（月経）生理日マーク２４が９月５日となる。
【００１４】
こうして、基礎体温記録表１にスケール（補助具）２０を上から重ね合せることで、妊娠可能な期間（妊娠しやすい期間）、次回（月経）生理日が、きわめて容易に簡便に視認できる。
【図面の簡単な説明】
【００１５】
【図１】図１は、本考案の実施例の基礎体温記録表とスケール（補助具）を示す図である。
【符号の説明】
【００１６】
１・・・基礎体温記録表、２・・・(年)月日記入欄、３・・・曜日欄、４・・・体温プロット欄、５・・・月経周期記入欄、８・・・指標部、１１・・・体温表示線、２０・・・スケール、２１・・・生理周期指標部、２２・・・生理（月経）開始日マーク、２３・・・妊娠可能期間マーク、２４・・・次回（月経）生理日マーク
【図１】
0003117708.tif 000003